(57)【要約】【課題】位置管理サーバの処理負荷を増加させることなく、位置登録処理及びページング処理の全体数を削減することができる位置管理サーバ等を提供する。【解決手段】移動端末に対して、通信可能な基地局の捕捉範囲リストを送信する位置管理サーバについて、自らの管理位置範囲の複数の基地局について、当該管理位置範囲全体に対する各基地局の位置を記憶する基地局記憶手段と、管理位置範囲のフリンジに位置する基地局を経由する移動端末に対して、捕捉範囲リストに含める捕捉基地局数を少なく設定する捕捉基地局数設定手段と、移動端末毎に、捕捉基地局数に基づいて捕捉範囲リストを作成する捕捉範囲リスト作成手段とを有する。【選択図】図３
2015192305.tif 000002
【特許請求の範囲】
【請求項１】
移動端末に対して、通信可能な基地局の捕捉範囲リストを送信する位置管理サーバにおいて、
自らの管理位置範囲の複数の基地局について、当該管理位置範囲全体に対する各基地局の位置を記憶する基地局記憶手段と、
前記管理位置範囲のフリンジに位置する基地局を経由する移動端末に対して、フリンジに位置しない基地局を経由する移動端末よりも、前記捕捉範囲リストに含める捕捉基地局数を少なく設定する捕捉基地局数設定手段と、
前記移動端末毎に、前記捕捉基地局数に基づいて捕捉範囲リストを作成する捕捉範囲リスト作成手段と
を有することを特徴とする位置管理サーバ。
【請求項２】
前記位置管理サーバは、ＥＰＣ(Evolved Packet Core)に設置されるＭＭＥ(Mobility Management Entity)であって、１つ以上の基地局をトラッキングエリア(Tracking Area List)に区分して管理しており、
前記捕捉基地局数は、前記トラッキングエリアの数であり、
前記捕捉範囲リストは、１つ以上のトラッキングエリアを含むトラッキングエリアリスト(Tracking Area List)であり、
前記管理位置範囲は、プールエリア(Pool Area)である
ことを特徴とする請求項１に記載の位置管理サーバ。
【請求項３】
前記移動端末は、自ら保持するトラッキングエリアリストに含まれない基地局に接続した場合、当該基地局を介して当該位置管理サーバへトラッキングエリアアップデート(Tracking Area Update)としての位置登録要求を送信し、
前記位置管理サーバは、当該移動端末へ、トラッキングエリアリストを含む位置登録応答を返信する
ことを特徴とする請求項２に記載の位置管理サーバ。
【請求項４】
前記位置管理サーバは、他の端末からの呼接続要求に対するページング要求を、着呼先移動端末へ送信済みの前記トラッキングエリアリストを用いて、ページング要求を送信する
ことを特徴とする請求項２又は３に記載の位置登録サーバ。
【請求項５】
自らの管理位置範囲の中で全ての基地局位置を頂点として、ドロネー三角形分解(Delaunay triangulation)によって前記フリンジに位置する基地局を決定するフリンジ基地局決定手段を更に有することを特徴とする請求項１から４のいずれか１項に記載の位置登録サーバ。
【請求項６】
請求項１から５のいずれか１項に記載の位置管理サーバと通信する移動端末であって、
前記基地局を介して前記位置管理サーバから受信した前記捕捉範囲リストに含まれる捕捉基地局数に基づいて、当該位置管理サーバにおける管理位置範囲全体の中で現在通信中の基地局がフリンジにあるか否かを判定する
ことを特徴とする移動端末。
【請求項７】
移動端末に対して、通信可能な基地局の捕捉範囲リストを送信する位置管理サーバに搭載されたコンピュータを機能させるプログラムにおいて、
自らの管理位置範囲の複数の基地局について、当該管理位置範囲全体に対する各基地局の位置を記憶する基地局記憶手段と、
前記管理位置範囲のフリンジに位置する基地局を経由する移動端末に対して、フリンジに位置しない基地局を経由する移動端末よりも、前記捕捉範囲リストに含める捕捉基地局数を少なく設定する捕捉基地局数設定手段と、
前記移動端末毎に、前記捕捉基地局数に基づいて捕捉範囲リストを作成する捕捉範囲リスト作成手段と
してコンピュータを機能させることを特徴とする位置管理サーバ用のプログラム。
【請求項８】
移動端末と、基地局と、移動端末へ通信可能な基地局の捕捉範囲リストを送信する位置管理サーバとを有するシステムの位置登録処理方法において、
前記位置管理サーバは、自らの管理位置範囲の複数の基地局について、当該管理位置範囲全体に対する各基地局の位置を記憶する基地局記憶部を有し、
前記移動端末が、基地局を介して前記位置管理サーバへ、位置登録要求を送信する第１のステップと、
前記位置管理サーバは、前記位置登録要求が経由した前記基地局が、前記管理位置範囲のフリンジに位置すると判定した場合、フリンジに位置しない基地局よりも、前記捕捉範囲リストに含める捕捉基地局数を少なく設定する第２のステップと、
前記位置管理サーバが、当該移動端末に対して、前記捕捉基地局数に基づく捕捉範囲リストを作成する第３のステップと、
前記位置管理サーバが、前記捕捉範囲リストを含む位置登録応答を、当該移動端末へ返信する第４のステップと
を有することを特徴とする位置登録処理方法。
【発明の詳細な説明】
【技術分野】
【０００１】
本発明は、コアネットワークに対する移動端末の位置登録の技術に関する。
【背景技術】
【０００２】
従来、ＬＴＥ(Long Term Evolution)のようなセルラ通信網によれば、ＥＰＣ(Evolved Packet Core)と称されるコアネットワークを介して、位置登録やページングのようなシグナリング処理が実行される。ＥＰＣには、ＭＭＥ(Mobility Management Entity)と称される「位置登録サーバ」が設置されており、移動端末の位置を管理している。
【０００３】
図１は、位置管理サーバにおける移動端末の位置管理を表すシステム構成図である。
【０００４】
図１のシステムによれば、コアネットワークに設置された位置管理サーバ（ＭＭＥ）１と、アクセスネットワークに設置された基地局（ｅＮＢ：evolved Node B）２と、無線通信可能な移動端末（ＵＥ：User Equipment）３とを有する。
【０００５】
位置管理サーバ１は、プールエリア(Pool Area)と称する１つ以上のトラッキングエリア(Tracking Area)（以下「ＴＡ」という）の集合を管理する。「ＴＡ」とは、１つ以上の基地局から構成され、ネットワーク管理における移動端末の位置範囲を表すセル単位をいう。図１によれば、位置管理サーバMME#1及びMME#2は、以下のようにプールエリア#1及び#2を管理している。
位置管理サーバMME#1->プールエリア#1->TA#1（eNB#1、eNB#2）
TA#2（eNB#3）
TA#3（eNB#4）
位置管理サーバMME#2->プールエリア#2->TA#4（eNB#5）
【０００６】
＜位置登録シーケンス＞
図２は、従来技術における位置登録のシーケンス図である。
【０００７】
位置管理サーバは、移動端末へ送信するトラッキングエリアの数（以下「ＴＡ数」という）を、所定値に設定している。図２によれば、位置管理サーバMME#1及びMME#2は予め、最大「ＴＡ数＝２」に設定しているとする。即ち、ＴＡリストに含めることができるＴＡは、２個までに設定されている。
【０００８】
（Ｓ２１）最初に、移動端末３は、位置管理サーバ１に対して位置登録を実行する。具体的には、移動端末３は、基地局eNB#1を経由して位置管理サーバMME#1へ、トラッキングエリアアップデート(Tracking Area Update)（以下「ＴＡＵ」という）としての「位置登録要求」のシグナリングを送信する。
これに対し、位置管理サーバMME#1は、移動端末３に対して、プールエリア#1内のＴＡリストTAL#1を作成する。そして、位置管理サーバMME#1は、そのTAL#1を含むトラッキングアップデートアクセプト(Tracking Area Update Accept)（以下「ＴＡＵＡ」という）としての「位置登録応答」を、移動端末３へ返信する。
位置登録応答を受信した移動端末３は、そのＴＡリストを保持し、捕捉範囲を認識する。
【０００９】
（Ｓ２２）移動端末３は、移動し、基地局eNB#2に接続したとする。このとき、基地局eNB#2は、移動端末３が先に受信したＴＡリストのTA#1に含まれるものである。そのために、移動端末３は、位置登録シーケンスを実行することなく、位置管理サーバMME#1によって位置管理されている。
【００１０】
（Ｓ２３）移動端末３は、移動し、基地局eNB#3に接続したとする。このとき、基地局eNB#3は、移動端末３が先に受信したＴＡリストのTA#2に含まれるものである。そのために、移動端末３は、位置登録シーケンスを実行することなく、位置管理サーバMME#1によって位置管理されている。
【００１１】
（Ｓ２４）移動端末３は、移動し、基地局eNB#4に接続したとする。このとき、基地局eNB#4は、移動端末３が先に受信したＴＡリストTAL#1に含まれていない。即ち、移動端末３は、ＴＡリストを跨がって移動したことを意味する。そのために、移動端末３は、基地局eNB#4を経由して位置管理サーバMME#1へ、ＴＡＵとしての「位置登録要求」のシグナリングを送信する。
これに対し、位置管理サーバMME#1は、移動端末３に対して、プールエリア#1内のＴＡリストTAL#2を作成する。そして、位置管理サーバMME#1は、そのTAL#2を含むＴＡＵＡとしての「位置登録応答」を、移動端末３へ返信する。
位置登録応答を受信した移動端末３は、そのＴＡリストTAL#2を保持し、捕捉範囲を認識する。
【００１２】
（Ｓ２５）移動端末３は、移動し、基地局eNB#5に接続したとする。このとき、基地局eNB#5は、移動端末３が先に受信したＴＡリストTAL#2に含まれていない。移動端末３は、ＴＡリストを跨がって移動したことを意味する。そのために、移動端末３は、基地局eNB#5を経由して位置管理サーバMME#2へ、ＴＡＵとしての「位置登録要求」のシグナリングを送信する。
これに対し、位置管理サーバMME#2は、移動端末３に対して、プールエリア#2内のＴＡリストTAL#3を作成する。そして、位置管理サーバMME#2は、そのTAL#2を含むＴＡＵＡの「位置登録応答」を、移動端末３へ返信する。
位置登録応答を受信した移動端末３は、そのＴＡリストTAL#3を保持し、捕捉範囲を認識する。
【００１３】
図２によれば、移動端末３は、ＴＡリストを跨って移動した時、又は、先の位置登録から所定時間経過した時に、位置登録シーケンスを実行する。即ち、移動端末３は、所定時間内であれば、ＴＡリストに含まれる基地局２と通信している限り、位置登録シーケンスを実行しなくてよい。これによって、ＥＰＣ全体における位置登録シーケンスの実行回数を、できる限り少なく維持し、位置管理サーバの負荷を抑えることができる。
【００１４】
＜ページングシーケンス＞
位置管理サーバ１は、移動端末３毎に、ＴＡリストによってその位置を管理する。ここで、ページング（呼び出し）処理によれば、位置管理サーバ１は、配下の移動端末３に対する着呼を受信した場合、当該移動端末３のＴＡリストを確認する。そして、位置管理サーバ１は、着呼先の移動端末に対して、最大３回のページングを実行する。
１回目、位置管理サーバ１は、移動端末が最後に位置登録要求したトラッキングエリアＴＡに対して、ページング要求を送信する。
位置管理サーバ１は、当該移動端末から所定時間内にページング応答(Service Request)を受信できなかった場合、ページング失敗とみなす。そして、２回目、位置管理サーバ１は、当該移動端末のトラッキングエリアＴＡ全体に対して、ページング要求を送信する。
位置管理サーバ１は、更に、当該移動端末から所定時間内にページング応答を受信できなかった場合、ページング失敗とみなす。そして、３回目、位置管理サーバ１は、当該移動端末のトラッキングエリアＴＡ全体に対して、ページング要求を送信する。
【先行技術文献】
【特許文献】
【００１５】
【特許文献１】ＷＯ２０１３０２１４３６Ａ１
【非特許文献】
【００１６】
【非特許文献１】3GPP TS23.401(V12.0.0)、「General Packet Radio Service (GPRS) enhancements for Evolved Universal Terrestrial Radio Access Network (E-UTRAN) access」、[online]、［平成２６年３月２０日検索］、インターネット＜http://www.etsi.org/deliver/etsi_ts/123400_123499/123401/08.14.00_60/ts_123401v081400p.pdf＞
【発明の概要】
【発明が解決しようとする課題】
【００１７】
位置管理サーバは、移動端末へ送信するＴＡリストに含めるＴＡ数を、所定値に設定している。しかしながら、ＴＡ数の設定値によって、以下のようなトレードオフがある。
ＴＡ数が多い->  （利点）位置登録処理におけるシグナリングの数が減少する
（欠点）ページング処理におけるシグナリングの数が増加する
ＴＡ数が少ない->（利点）ページング処理におけるシグナリングの数が減少する
（欠点）位置登録処理におけるシグナリングの数が増加する
【００１８】
これに対し、位置管理サーバが、移動端末毎に、その移動履歴に応じて、ＴＡリストを作成する技術もある（例えば特許文献１参照）。しかしながら、この技術によれば、移動端末毎に詳細な位置を管理するべく多数の位置登録が必要となり、位置管理サーバにおける処理負荷が高くなる。また、移動履歴を保持し続ける必要があり、位置管理サーバについて大量のメモリ量が必要となるという問題もある。
【００１９】
そこで、本発明によれば、位置管理サーバの処理負荷を増加させることなく、位置登録処理の数を抑制しつつ、ページング処理の全体数を削減することができる位置管理サーバ、プログラム及び方法を提供することを目的とする。
【課題を解決するための手段】
【００２０】
本発明によれば、移動端末に対して、通信可能な基地局の捕捉範囲リストを送信する位置管理サーバにおいて、
自らの管理位置範囲の複数の基地局について、当該管理位置範囲全体に対する各基地局の位置を記憶する基地局記憶手段と、
管理位置範囲のフリンジに位置する基地局を経由する移動端末に対して、フリンジに位置しない基地局を経由する移動端末よりも、捕捉範囲リストに含める捕捉基地局数を少なく設定する捕捉基地局数設定手段と、
移動端末毎に、捕捉基地局数に基づいて捕捉範囲リストを作成する捕捉範囲リスト作成手段と
を有することを特徴とする。
【００２１】
本発明の位置管理サーバにおける他の実施形態によれば、
位置管理サーバは、ＥＰＣ(Evolved Packet Core)に設置されるＭＭＥ(Mobility Management Entity)であって、１つ以上の基地局をトラッキングエリア(Tracking Area List)に区分して管理しており、
捕捉基地局数は、トラッキングエリアの数であり、
捕捉範囲リストは、１つ以上のトラッキングエリアを含むトラッキングエリアリスト(Tracking Area List)であり、
管理位置範囲は、プールエリア(Pool Area)であることも好ましい。
【００２２】
本発明の位置管理サーバにおける他の実施形態によれば、
移動端末は、自ら保持するトラッキングエリアリストに含まれない基地局に接続した場合、当該基地局を介して当該位置管理サーバへトラッキングエリアアップデート(Tracking Area Update)としての位置登録要求を送信し、
位置管理サーバは、当該移動端末へ、トラッキングエリアリストを含む位置登録応答を返信することも好ましい。
【００２３】
本発明の位置管理サーバにおける他の実施形態によれば、
位置管理サーバは、他の端末からの呼接続要求に対するページング要求を、着呼先移動端末へ送信済みのトラッキングエリアリストを用いて、ページング要求を送信することも好ましい。
【００２４】
本発明の位置管理サーバにおける他の実施形態によれば、
自らの管理位置範囲の中で全ての基地局位置を頂点として、ドロネー三角形分解(Delaunay triangulation)によってフリンジに位置する基地局を決定するフリンジ基地局決定手段を更に有することも好ましい。
【００２５】
本発明によれば、前述した位置管理サーバと通信する移動端末であって、
基地局を介して位置管理サーバから受信した捕捉範囲リストに含まれる捕捉基地局数に基づいて、当該位置管理サーバにおける管理位置範囲全体の中で現在通信中の基地局がフリンジにあるか否かを判定することを特徴とする。
【００２６】
本発明によれば、移動端末に対して、通信可能な基地局の捕捉範囲リストを送信する位置管理サーバに搭載されたコンピュータを機能させるプログラムにおいて、
自らの管理位置範囲の複数の基地局について、当該管理位置範囲全体に対する各基地局の位置を記憶する基地局記憶手段と、
管理位置範囲のフリンジに位置する基地局を経由する移動端末に対して、フリンジに位置しない基地局を経由する移動端末よりも、捕捉範囲リストに含める捕捉基地局数を少なく設定する捕捉基地局数設定手段と、
移動端末毎に、捕捉基地局数に基づいて捕捉範囲リストを作成する捕捉範囲リスト作成手段と
してコンピュータを機能させることを特徴とする。
【００２７】
本発明によれば、移動端末と、基地局と、移動端末へ通信可能な基地局の捕捉範囲リストを送信する位置管理サーバとを有するシステムの位置登録処理方法において、
位置管理サーバは、自らの管理位置範囲の複数の基地局について、当該管理位置範囲全体に対する各基地局の位置を記憶する基地局記憶部を有し、
移動端末が、基地局を介して位置管理サーバへ、位置登録要求を送信する第１のステップと、
位置管理サーバは、位置登録要求が経由した基地局が、管理位置範囲のフリンジに位置すると判定した場合、フリンジに位置しない基地局よりも、捕捉範囲リストに含める捕捉基地局数を少なく設定する第２のステップと、
位置管理サーバが、当該移動端末に対して、捕捉基地局数に基づく捕捉範囲リストを作成する第３のステップと、
位置管理サーバが、捕捉範囲リストを含む位置登録応答を、当該移動端末へ返信する第４のステップと
を有することを特徴とする。
【発明の効果】
【００２８】
本発明の位置管理サーバ、プログラム及び方法によれば、位置管理サーバの処理負荷を増加させることなく、位置登録処理の数を抑制しつつ、ページング処理の全体数を削減することができる。
【図面の簡単な説明】
【００２９】
【図１】位置管理サーバにおける移動端末の位置管理を表すシステム構成図である。
【図２】従来技術における位置登録のシーケンス図である。
【図３】本発明における位置管理サーバの機能構成図である。
【図４】プールエリアにおける基地局位置を表す説明図である。
【図５】ドロネー三角形分解法を用いて、フリンジに位置する基地局を導出する説明図である。
【図６】本発明における位置登録のシーケンス図である。
【発明を実施するための形態】
【００３０】
以下、本発明の実施の形態について、図面を用いて詳細に説明する。
【００３１】
本発明の位置管理サーバは、具体的には、ＥＰＣに設置されるＭＭＥであって、１つ以上の基地局eNBを、ＴＡ（トラッキングエリア）に区分して管理する。また、位置管理サーバは、移動端末へ、１つ以上のＴＡを含むＴＡリスト（捕捉範囲リスト）を送信する。ＴＡリストは、プールエリア（管理位置範囲）の中で、ＴＡ数（捕捉基地局数）だけのＴＡを含む。
捕捉基地局数  ：「ＴＡ数」
捕捉範囲リスト：「ＴＡリスト」
管理位置範囲  ：「プールエリア」
【００３２】
本発明の位置管理サーバは、位置登録シーケンスを中継した基地局の位置に応じて、ＴＡ数を変化させる。その基地局の位置が、プールエリア全体に対して、フリンジ（Fringe：端部分）に位置するか否かが判定される。ここで、フリンジに位置する基地局ほど、フリンジに位置しない基地局よりも、そのＴＡ数を少なく設定する。これによって、位置登録処理の数を少なく維持すると共に、ページング処理の際、無駄なＴＡに向けて送信するシグナリングを減少させることができる。
【００３３】
図３は、本発明における位置管理サーバの機能構成図である。
【００３４】
図３によれば、位置管理サーバ１は、基地局記憶部１０と、位置登録要求受信部１１と、捕捉基地局数設定部１２と、捕捉範囲リスト作成部１３と、位置登録応答送信部１４と、ページング処理部１５と、フリンジ基地局決定部１６とを有する。これら機能構成部は、位置管理サーバに搭載されたコンピュータを機能させるプログラムを実行することによって実現される。また、これら機能構成部の処理の流れは、位置登録方法としても理解できる。
【００３５】
［基地局記憶部１０］
基地局記憶部１０は、自らのプールエリアの複数の基地局について、当該プールエリア全体に対する各基地局の位置を記憶する。
【００３６】
図４は、プールエリアにおける基地局位置を表す説明図である。
【００３７】
図４によれば、プールエリア内の基地局は、以下のように区分される。
（１）フリンジに位置しない基地局ほど、周囲全体に隣接基地局が多く、隣接ＴＡも多い。この場合、既定のＴＡ数（例えばＴＡ数＝６）が設定される。
（２）フリンジに位置する基地局ほど、隣接基地局が少なく、隣接ＴＡも少ない。この場合、既定のＴＡ数よりも少ないＴＡ数（例えばＴＡ数＝３）が設定される。
【００３８】
［フリンジ基地局決定部１６］
フリンジ基地局決定部１６は、自らの管理位置範囲の中で全ての基地局位置を頂点として、ドロネー三角形分解(Delaunay triangulation)によってフリンジに位置する基地局を決定する。
【００３９】
図５は、ドロネー三角形分解法を用いて、フリンジに位置する基地局を導出する説明図である。
【００４０】
ドロネー三角形分割法は、３頂点を結ぶ外接円の内部に、他の頂点を含まないことを保証するものである。
図５（ａ）によれば、基地局位置を頂点として表されている。
図５（ｂ）によれば、３頂点を結ぶ外接円を描いている。
図５（ｃ）によれば、外接円に包括される他の頂点がない円のみが見つけられる。
図５（ｄ）によれば、最終的に見つかった外接円の頂点を結んで三角形を作る。
最終的に、線で結ばれている基地局が隣接関係にあるものとする。１つでもプールエリアの異なる基地局が隣接関係にある場合、その基地局はフリンジに位置すると決定できる。また、隣接関係の基地局全てが同一のプールエリアである場合、フリンジに位置しないと決定できる。
【００４１】
［位置登録要求受信部１１］
位置登録要求受信部１１は、移動端末３から、基地局２を介して位置登録要求を受信する。受信した位置登録要求に含まれるＴＡＵと、経由した基地局ＩＤとが、捕捉基地局数設定部１２へ出力される。
［捕捉基地局数設定部１２］
捕捉基地局数設定部１２は、位置登録要求が経由した基地局（ＩＤ）が、プールエリアのフリンジに位置するか否かを、基地局記憶部１０を用いて（又はフリンジ基地局決定部１６の結果に応じて）判定する。そして、フリンジに位置する基地局ほど、フリンジに位置しない基地局よりも、そのＴＡ数を少なく設定する。例えば以下のように設定する。
フリンジに位置しない基地局を経由して位置登録要求を送信した移動端末
<-既定のＴＡ数（例えばＴＡ数＝６）
フリンジに位置する基地局を経由して位置登録要求を送信した移動端末
<-既定のＴＡ数よりも少ないＴＡ数（例えばＴＡ数＝３）
設定されたＴＡ数と、位置登録要求とは、捕捉範囲リスト作成部１３へ出力される。
【００４２】
［捕捉範囲リスト作成部１３］
移動端末毎に、ＴＡ数に基づいてＴＡリストを作成する。作成されたＴＡリストは、位置登録応答送信部１４へ出力される。
【００４３】
［位置登録応答送信部１４］
位置登録応答送信部１４は、作成されたＴＡリストを含むＴＡＵＡとしての位置登録応答を、移動端末３へ返信する。
【００４４】
［ページング処理部１５］
ページング処理部１５は、移動端末３に対してページングが必要になった際、当該移動端末に対して保持しているＴＡリストを用いて、ページングするエリアを決定する。本発明によれば、フリンジに位置する基地局を経由する移動端末に対しては、ＴＡ数が少ないために、必然的にページングのエリアが絞り込まれ、そのシグナリングの数が抑制される。これによって、位置管理サーバ１のページングの処理負荷も軽減される。
【００４５】
図６は、本発明における位置登録のシーケンス図である。
【００４６】
（Ｓ６１）移動端末３は、自ら保持するＴＡリストに含まれない基地局に接続（ＴＡリストを跨って移動）した時（又は、先の位置登録から所定時間経過した時）、ＴＡＵとしての位置登録要求を送信する。
基地局２は、移動端末３から位置登録要求を受信し、その位置登録要求に、当該基地局ＩＤを付加する。その位置登録要求は更に、位置管理サーバ１へ転送される（図３の位置登録要求受信部１１参照）。
【００４７】
（Ｓ６２）位置管理サーバ１は、位置登録要求を受信し、それに含まれる基地局ＩＤを取得する。そして、その基地局ＩＤに基づく基地局位置が、フリンジ(Fringe)であるか否かを判定する。そして、以下のようにＴＡ数を設定する（図３の捕捉基地局数設定部１２参照）。
フリンジに位置しない基地局を経由して位置登録要求を送信した移動端末
<-既定のＴＡ数
フリンジに位置する基地局を経由して位置登録要求を送信した移動端末
<-既定のＴＡ数よりも少ないＴＡ数
【００４８】
（Ｓ６３）位置管理サーバ１は、設定されたＴＡ数に応じたＴＡリストを作成する（図３の捕捉範囲リスト作成部１３参照）。そして、端末ＩＤとそのＴＡリストとを対応付けて記憶する。
【００４９】
（Ｓ６４）位置管理サーバ１は、位置登録要求を送信した移動端末に対し、ＴＡリストを含むＴＡＵＡとしての位置登録応答を返信する。これによって、移動端末３は、基地局２を経由して位置登録応答を受信し、そのＴＡリストを保持する。移動端末３は、ＴＡリストを跨って移動した時、位置登録要求を送信する。
【００５０】
また、移動端末３は、位置管理サーバ１から受信したＴＡリストに含まれるＴＡ数に基づいて、当該位置管理サーバ１における管理位置範囲全体の中で、現在通信中の基地局がフリンジにあるか否かを判定することができる。
（１）ＴＡ数が既定数である場合、現在通信中の基地局がフリンジになく、その後、ＴＡリストを跨って移動する可能性が低いことを意味する。
（２）ＴＡ数が既定数よりも小さい場合、現在通信中の基地局がフリンジにあり、その後、ＴＡリストを跨って移動する可能性が高いことを意味する。
【００５１】
（Ｓ６５）位置管理サーバ１は、他の端末からの呼接続要求に対するページング要求を、着呼先移動端末へ送信済みのトラッキングエリアリストを用いて、ページング要求を送信する。
【００５２】
以上、詳細に説明したように、本発明の位置管理サーバ、プログラム及び方法によれば、位置管理サーバの処理負荷を増加させることなく、位置登録処理の数を抑制しつつ、ページング処理の全体数を削減することができる。システム全体におけるシグナリングの数を削減することによって、インフラ構築に必要なコストと、過負荷による障害のリスクとを低減させることができる。
【００５３】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５４】
１  位置管理サーバ
１０  基地局記憶部
１１  位置登録要求受信部
１２  捕捉基地局数設定部
１３  捕捉範囲リスト作成部
１４  位置登録応答送信部
１５  ページング処理部
１６  フリンジ基地局決定部
２  基地局
３  移動端末
【図１】
2015192305.tif 000003
【図２】
2015192305.tif 000004
【図３】
2015192305.tif 000005
【図４】
2015192305.tif 000006
【図５】
2015192305.tif 000007
【図６】
2015192305.tif 000008